(57)【要約】【課題】熱膨張による破損を防ぐとともに、容易に設置できる目隠しフェンスを提供する。【解決手段】目隠しフェンス１０は、長さ方向に沿って第一溝１６ａが形成された第一縦枠１６と、長さ方向に沿って第二溝１８ａが形成された第二縦枠１８と、横板３２、横板３２の両端面に設けられた第一端体３４，４６および第二端体３６，４８を備えるパネル体２０，２６とを有する。横板３２が縦方向にずれて一部が重なった状態でパネル体２０，２６が二列になる部分が現れるように、第一溝１６ａと隙間を形成しながら、第一端体３４，４６が第一溝１６ａに嵌め込まれ、第二溝１８ａと隙間を形成しながら、第二端体３６，４８が第二溝１８ａに嵌め込まれている。【選択図】図３
0003179924.tif 000002
【実用新案登録請求の範囲】
【請求項１】
長さ方向に沿って第一溝が形成された第一縦枠と、
長さ方向に沿って第二溝が形成された第二縦枠と、
横板、前記横板の両端面に設けられた第一端体および第二端体を備えるパネル体と、
を有する目隠しフェンスであって、
前記横板が縦方向にずれて一部が重なった状態で前記パネル体が二列になる部分が現れるように、前記第一溝と隙間を形成しながら、前記第一端体が前記第一溝に嵌め込まれ、前記第二溝と隙間を形成しながら、前記第二端体が前記第二溝に嵌め込まれている目隠しフェンス。
【請求項２】
請求項１において、
前記第一縦枠は、前記第一溝の長さ方向に沿って第一突起を備え、
前記第二縦枠は、前記第二溝の長さ方向に沿って第二突起を備え、
前記第一端体が第一突起より内側で前記第一溝に嵌め込まれ、
前記第二端体が第二突起より内側で前記第二溝に嵌め込まれている目隠しフェンス。
【請求項３】
請求項１または２において、
前記第一縦枠および前記第二縦枠の上面に渡って設けられた上枠をさらに有し、
前記上枠は、前記パネル体が上昇したときに前記横板を収容できる横板収容部を備える目隠しフェンス。
【請求項４】
請求項１から３のいずれかにおいて、
ある列のパネル体が上昇したとき、他の列のパネル体の横板の上に突き出して、前記ある列のパネル体の落下を防ぐストッパを前記ある列のパネル体に設けた目隠しフェンス。
【請求項５】
請求項１から４のいずれかにおいて、
ある列の上下に配置された異なるパネル体の横板同士を接続する接続線をさらに有し、
前記接続線は、前記ある列と他の列との間を、前記第一溝内および前記第二溝内のうちの少なくとも一方を通る目隠しフェンス。
【考案の詳細な説明】
【技術分野】
【０００１】
本考案は、熱膨張による破損を防ぐとともに、容易に設置できる目隠しフェンスに関するものである。
【背景技術】
【０００２】
庭やウッドデッキ等の外周に設置するフェンスには、支柱と横板とを組み合わせて構成されるものがある。隣り合った薄い支柱間に、一方の面から複数の横板を上下方向に一定の間隔を開けて固定し、上記一方の面側の横板から上下方向にずらして、他方の面から横板を固定する目隠しフェンスがこの一例である。
【０００３】
しかしながら、複数の横板を所定の位置に固定するには、時間や労力を要する。また、支柱間にネジ等を用いて横板を固定した場合、横板の熱膨張によって、支柱や横板に無理な力が加わって、目隠しフェンスが破損するおそれがある。
【考案の概要】
【考案が解決しようとする課題】
【０００４】
本考案はこのような事情に鑑みてなされたものであり、熱膨張による破損を防ぐとともに、容易に設置できる目隠しフェンスを提供することを目的とする。
【課題を解決するための手段】
【０００５】
本考案の目隠しフェンスは、長さ方向に沿って第一溝が形成された第一縦枠と、長さ方向に沿って第二溝が形成された第二縦枠と、横板、横板の両端面に設けられた第一端体および第二端体を備えるパネル体とを有する目隠しフェンスであって、横板が縦方向にずれて一部が重なった状態でパネル体が二列になる部分が現れるように、第一溝と隙間を形成しながら、第一端体が第一溝に嵌め込まれ、第二溝と隙間を形成しながら、第二端体が第二溝に嵌め込まれている。
【０００６】
本考案の目隠しフェンスにおいて、第一縦枠は、第一溝の長さ方向に沿って第一突起を備え、第二縦枠は、第二溝の長さ方向に沿って第二突起を備え、第一端体が第一突起より内側で第一溝に嵌め込まれ、第二端体が第二突起より内側で第二溝に嵌め込まれていることが好ましい。本考案の目隠しフェンスにおいて、第一縦枠および第二縦枠の上面に渡って設けられた上枠をさらに有し、上枠は、パネル体が上昇したときに横板を収容できる横板収容部を備えることが好ましい。
【０００７】
本考案の目隠しフェンスにおいて、ある列のパネル体が上昇したとき、他の列のパネル体の横板の下に突き出してある列のパネル体の落下を防ぐストッパをある列のパネル体に設けることが好ましい。本考案の目隠しフェンスにおいて、ある列の上下に配置された異なるパネル体の横板同士を接続する接続線をさらに有し、接続線は、ある列と他の列との間を、第一溝内および第二溝内のうちの少なくとも一方を通っていてもよい。
【考案の効果】
【０００８】
本考案によれば、熱膨張による破損を防ぐと共に、容易に設置できる目隠しフェンスが得られる。
【図面の簡単な説明】
【０００９】
【図１】本考案の実施形態に係る目隠しフェンスの正面図である。
【図２】本考案の実施形態に係る目隠しフェンスの背面図である。
【図３】図１に示す目隠しフェンスのＡ−Ａ線断面模式図である。
【図４】図１に示す目隠しフェンス上部のＢ−Ｂ線断面模式図である。
【図５】図１に示す目隠しフェンス下部のＢ−Ｂ線断面模式図である。
【図６】本考案の実施形態に係る目隠しフェンスのパネル体の正面図である。
【図７】図４に示す目隠しフェンスの前列最上部にあるパネル体を持ち上げた状態を示す断面模式図である。
【図８】本考案の実施形態に係る目隠しフェンスの他のパネル体の正面図である。
【図９】本考案の実施形態に係る目隠しフェンスの他のパネル体の正面図である。
【考案を実施するための形態】
【００１０】
以下、本考案の目隠しフェンスについて、図面を参照しながら実施形態に基づいて説明する。なお、図面は、目隠しフェンス、目隠しフェンスを構成する部材、および目隠しフェンスの周辺部材を模式的に表したものであり、これらの実物の寸法および寸法比は、図面上の寸法および寸法比と必ずしも一致していない。また、重複説明は適宜省略し、同一部材には同一符号を付与することがある。
【００１１】
図１は、本考案の実施形態に係る目隠しフェンス１０の正面図である。図２は、目隠しフェンス１０の背面図である。図３は、目隠しフェンス１０を図１のＡ−Ａ線で切断したときの断面模式図である。図４は、目隠しフェンス１０を図１のＢ−Ｂ線で切断したときの目隠しフェンス１０の上部の断面模式図である。図５は、目隠しフェンス１０を図１のＢ−Ｂ線で切断したときの目隠しフェンス１０の下部の断面模式図である。目隠しフェンス１０は、支柱１２，１４と、第一縦枠１６と、第二縦枠１８と、四種類のパネル体２０，２２，２４，２６と、基台２７と、上枠２８と、下枠３０とを備える。支柱１２，１４および下枠３０は、底面が正方形である四角柱形状を有し、木または樹脂等からなる。
【００１２】
棒状または板状の部材である第一縦枠１６は、本実施形態では、底面が正方形である四角柱に溝を設けた形状を有し、金属、木、または樹脂等からなる。第一縦枠１６には、長さ方向に沿って第一溝１６ａが形成されている。第一溝１６ａは、第一縦枠１６の下端より数ｃｍほど上方の位置から第一縦枠１６の上端に渡っている。このため、詳細は後述するが、最初のパネル体２４と基台２７を二列で第一縦枠１６の上端から嵌め込み下方に移動させると、第一縦枠１６の下端より数ｃｍ上方の位置で停止する。
【００１３】
第二縦枠１８は、第一縦枠１６と同様である。すなわち、棒状または板状の部材である第二縦枠１８は、本実施形態では、底面が正方形である四角柱に溝を設けた形状を有し、金属、木、または樹脂等からなる。第二縦枠１８には、長さ方向に沿って第二溝１８ａが形成されている。第二溝１８ａは、第二縦枠１８の下端より数ｃｍほど上方の位置から第二縦枠１８の上端に渡っている。
【００１４】
このため、最初のパネル体２４と基台２７を二列で第二縦枠１８の上端から嵌め込み下方に移動させると、第二縦枠１８の下端より数ｃｍ上方の位置で停止する。第一溝１６ａおよび第二溝１８ａは、第一縦枠１６および第二縦枠１８の下端から上端に渡っていても、すなわち第一溝１６ａおよび第二溝１８ａのそれぞれの両端が開いていてもよい。この場合には、第一縦枠１６と第二縦枠１８の間であって、その両端が第一溝１６ａおよび第二溝１８ａの内部で固定された下枠によって、最初のパネル体２４と基台２７が支持される。
【００１５】
図６は四種類のパネル体２０，２２，２４，２６の正面図である。パネル体２０は、２つの横板３２，３２と、横板３２，３２の両端面に設けられた第一端体３４および第二端体３６とを備える。パネル体２２は、２つの横板３２，３２と、横板３２，３２の両端面に設けられた第一端体３８および第二端体４０とを備える。パネル体２４は、２つの横板３２，３２と、横板３２，３２の両端面に設けられた第一端体４２および第二端体４４とを備える。パネル体２６は、横板３２と、横板３２の両端面に設けられた第一端体４６および第二端体４８とを備える。本実施形態では、基台２７、第一端体３４，３８，４２，４６、および第二端体３６，４０，４４，４８は、図１から図６に示すように、四角柱形状を有している。
【００１６】
また、目隠しフェンス１０は、図１から図５に示すように、横板３２が縦方向にずれて一部が重なった状態でパネル体２０，２２，２４，２６が二列になる部分が現れるように、第一溝１６ａと隙間を形成しながら、第一端体３４，３８，４２，４６が第一溝１６ａおよび第二溝１８ａに嵌め込まれ、第二溝１８ａと隙間を形成しながら、第二端体３６，４０，４４，４８が第二溝１８ａに嵌め込まれている。横板３２が縦方向にずれて一部が重なった状態でパネル体２０，２２，２４，２６が二列になるため、目隠しフェンス１０は、視線をほぼ完全に遮ることができる。また、第一溝１６ａおよび第二溝１８ａと隙間を形成しながら、第一端体３４，３８，４２，４６および第二端体３６，４０，４４，４８が嵌め込まれているため、熱膨張によって目隠しフェンス１０を構成する部材が変形して目隠しフェンス１０が破損するのを抑えられる。
【００１７】
第一溝１６ａは、図３に示すように、その長さ方向に沿って第一突起１６ｂを備える。また、第二溝１８ａも第一溝１６ａと同様に、その長さ方向に沿って第二突起１８ｂを備える。そして、第一端体３４，３８，４２，４６は、第一突起１６ｂより内側で第一溝１６ａに嵌め込まれており、第二端体３６，４０，４４，４８は、第二突起１８ｂより内側で第二溝１８ａに嵌め込まれている。このため、パネル体２０，２２，２４，２６のガタつきを抑えられる。本実施形態では、第一突起１６ｂおよび第二突起１８ｂがそれぞれ２つあるが、突起は１つしかなくても、３つ以上あってもよい。
【００１８】
上枠２８は、図１および図２に示すように、第一縦枠１６および第二縦枠１８の上面に渡って設けられる。また、上枠２８は、図４に示すように、パネル体２０が上昇したときに横板３２を収容できる横板収容部２８ａを備える。図７は、図４の目隠しフェンス１０のパネル体２０を持ち上げた状態を示す。このように、通常は目隠しフェンスとして機能する目隠しフェンス１０の前列のパネル体２０，２２，２４の１つ以上を持ち上げて前列と後列の横板３２同士を重ねれば、縦方向に所定の間隔を設けた横板フェンスになる。したがって、目隠しフェンス１０は、視線、光、風等を遮りたいときは、目隠しフェンスとして使い、光や風等を取り込みたいときは、横板フェンスとして使える。なお、前列に代えて、後列のパネル体を持ち上げてもよい。
【００１９】
図８は、他の実施形態に係るパネル体７０の正面図である。パネル体７０は、パネル体２０にストッパ７６を付加したものである。すなわち、パネル体７０は、横板３２，３２と、第一端体７２と、第二端体７４と、ストッパ７６とを備える。ストッパ７６は、横板３２，３２の間に設けられた四角柱の板部材で、図８の紙面の手前と奥とを移動できる。パネル体７０を上昇させたとき、後列のパネル体の横板の上にストッパ７６を突き出して、パネル体７０の落下を防ぐ（図７参照）。なお、後列のパネル体を上昇させたときは、前列のパネル体の横板の上に突き出して、パネル体の落下を防ぐ。また、上昇させるパネル体７０にストッパ７６を設けたので、パネル体７０の上昇とストッパ７６の移動が片手で連続的に行える。これに代えて、水平方向に回転させることによって、他の列のパネル体の横板の上に突き出すようなストッパを採用してもよい。また、ストッパ７６を横板３２の左右両側に設けてもよい。
【００２０】
つぎに、目隠しフェンス１０の組立方法について説明する。まず、第一縦枠１６が固定された支柱１２および第二縦枠１８が固定された支柱１４を、第一溝１６ａと第二溝１８ａとが向き合うように設置する。つぎに、第一縦枠１６と第二縦枠１８との間に下枠３０を固定する。そして、後列に基台２７、前列にパネル体２４、後列にパネル体２２、前列にパネル体２２、後列にパネル体２２、前列にパネル体２２、後列にパネル体２２、前列にパネル体２０、後列にパネル体２６の順序で、第一縦枠１６と第二縦枠１８の間に嵌め込んでいく。なお、嵌め込み順序は適宜変更してもよい。
【００２１】
そして、パネル体２０，２２，２４，２６を二列に並べ終わったら、支柱１２，１４上に上枠２８を設置する。このように、本考案によれば目隠しフェンスが容易に設置できる。なお、横板が縦方向にずれて一部が重なった状態でパネル体が二列になる部分が現れれば、設置するパネル体の枚数、１つのパネル体に設けられた横板の枚数、およびパネル体の形状等には制限がない。
【００２２】
以上、実施形態に基づいて本考案の目隠しフェンスを説明したが、本考案の目隠しフェンスは上記実施形態に限定されない。図９は、前列にある複数のパネル体を一度で上昇させるのに適した応用例である。この応用例では、最上部の横板３２の上面の両端と、最下部の横板３２の下面の両端とを、ピアノ線等の接続線８０，８２で接続している。このため、どの横板３２を持ち上げても、３つのパネル体２０を一度で上昇させることができる。なお、接続線で接続するパネル体は、２つであっても、４つ以上であってもよい。
【００２３】
また、接続線８０，８２は、前列と後列の間であって、第一溝１６ａ内および第二溝１８ａ内を通るように配置されている。したがって、接続線が８０，８２外から見えない。なお、接続線は１つであってもよい。このように、目隠しフェンスが、ある列の上下に配置された異なるパネル体の横板同士を接続する接続線を有し、接続線が、ある列と他の列との間を、第一溝内および第二溝内のうちの少なくとも一方を通るようにすれば、見栄えを維持しながら、パネル体を簡単に上昇できる。
【００２４】
本考案の目隠しフェンスでは、二列配置した一部のパネル体を、一列用の通常のパネル体に置き換えてもよい。こうすれば、例えば、上部を目隠し部、下部を通常の横板パネルにして、視線の遮蔽と通風および採光等とを両立できる。さらに、本考案の目隠しフェンスでは、二列配置した一部のパネル体を、一列用の第一端体と第二端体の間に横板を斜めに配置したルーバーパネル体に置き換えてもよい。こうすれば、目隠しと通風および採光等とを両立できる上、デザイン的に優れた目隠しフェンスが得られる。
【符号の説明】
【００２５】
１０  目隠しフェンス
１２，１４  支柱
１６  第一縦枠
１６ａ  第一溝
１６ｂ  第一突起
１８  第二縦枠
１８ａ  第二溝
１８ｂ  第二突起
２０，２２，２４，２６，７０  パネル体
２７  基台
２８  上枠
２８ａ  横板収容部
３０  下枠
３４，３８，４２，４６，７２  第一端体
３６，４０，４４，４８，７４  第二端体
７６  ストッパ
８０，８２  接続線
【図１】
0003179924.tif 000003
【図２】
0003179924.tif 000004
【図３】
0003179924.tif 000005
【図４】
0003179924.tif 000006
【図５】
0003179924.tif 000007
【図６】
0003179924.tif 000008
【図７】
0003179924.tif 000009
【図８】
0003179924.tif 000010
【図９】
0003179924.tif 000011